(57)【要約】  分割切削型チップソーは、第１山チップ（１１）と第２山チップ（１２）と第１端チップ（１３）と第２端チップ（１４）を有する。第１端チップ（１３）の第１端（１３ｆ）と、第２端チップ（１４）の第２端（１４ｇ）と、第１山チップ（１１）の先端（１１ｅ）と、第２山チップ（１２）の先端（１２ｅ）とは、径方向外方に突出した先端である。第１端（１３ｆ）から延出する先端傾斜面（１３ｃ）と、第２端（１４ｇ）から延出する先端傾斜面（１４ｃ）と、先端（１１ｅ）から延出する第１傾斜面（１１ｃ）と第２傾斜面（１１ｄ）と、先端（１２ｅ）から延出する第１傾斜面（１２ｃ）と第２傾斜面（１２ｄ）は、それぞれ先端傾き角を有し３°以上かつ１０°以下である。
2019203346.tif 000002
【特許請求の範囲】
【請求項１】
円盤状の台金と、前記台金の外周に接合された複数のチップを有する分割切削型チップソーであって、
前記複数のチップは、前記台金の周方向から見て前記台金の厚み方向第１端に径方向外方に突出する先端を具備する第１端チップと、前記台金の厚み方向第２端に径方向外方に突出する先端を具備する第２端チップと、前記第１端と前記第２端の間の第１位置において径方向外方に突出する先端を具備する第１山チップと、前記第１端と前記第２端の間の第２位置において径方向外方に突出する先端を具備する第２山チップを有し、
前記第１端チップと前記第２端チップは、前記各先端から他端へ延出する先端傾斜面を有し、
前記第１山チップと前記第２山チップは、前記各先端から前記第１端へ延出する第１傾斜面と、前記各先端から前記第２端へ延出する第２傾斜面を有し、
前記各先端傾斜面、前記各第１傾斜面、前記各第２傾斜面は、それぞれ前記台金の軸線と平行でかつ前記各先端を通る仮想線に対して先端傾き角を有し、前記各先端傾き角が３°以上かつ１０°以下である分割切削型チップソー。
【請求項２】
請求項１に記載の分割切削型チップソーにおいて、
前記複数のチップは、前記第１端チップ、前記第２端チップ、前記第１山チップ、前記第２山チップの４種類のみ、あるいは
前記４種類に加え、前記第１端と前記第２端の間の第３位置において径方向外方に突出する先端を具備する第３山チップを含む５種類のみ、あるいは
前記５種類に加え、前記第１端と前記第２端の間の第４位置において径方向外方に突出する先端を具備する第４山チップを含む６種類のみから構成される分割切削型チップソー。
【請求項３】
請求項２に記載の分割切削型チップソーにおいて、
前記第３山チップと前記第４山チップは、前記各先端から前記第１端へ傾斜する第１傾斜面と、前記各先端から前記第２端へ傾斜する第２傾斜面を有し、
前記第３山チップと前記第４山チップの前記各第１傾斜面と前記各第２傾斜面は、それぞれ前記台金の軸線と平行でかつ前記各先端を通る仮想線に対して先端傾き角を有し、前記各先端傾き角が３°以上かつ１０°以下である分割切削型チップソー。
【請求項４】
請求項３に記載の分割切削型チップソーにおいて、
前記各先端傾き角が５°以上かつ１０°以下である分割切削型チップソー。
【請求項５】
請求項３に記載の分割切削型チップソーにおいて、
前記各先端傾き角が６°以上かつ８°以下である分割切削型チップソー。
【請求項６】
請求項１から５のいずれか１項に記載の分割切削型チップソーにおいて、
前記各チップの前記各先端傾き角が全て同一であり、かつ前記各チップの前記各先端の径方向位置が同一である分割切削型チップソー。
【請求項７】
請求項１から５のいずれか１項に記載の分割切削型チップソーにおいて、
前記第１山チップと前記第２山チップの前記各先端の径方向位置は、前記第１端チップと前記第２端チップの前記各先端の径方向位置よりも前記各チップの厚み方向長さの０〜９％径方向外方である分割切削型チップソー。
【発明の詳細な説明】
【技術分野】
【０００１】
本発明は、分割切削型チップソーに関する。分割切削型チップソーは、例えばパイプ等の鉄鋼材料やアルミニウム等の非金属材料の被削材に溝を形成することで切断する。分割切削型チップソーは、被削材に溝を形成する際に溝幅方向に分割された切り粉を形成する。【０００２】
特許第３２１２９５１号公報、特開平８−１８７７０２号公報、特開平９−２９０３２３号公報、特許第３３７０１６６号公報、特許第６１６３７０６号公報、実開昭６３−１６９２１５号公報に分割切削型チップソーが開示されている。分割切削型チップソーは、円盤状の台金と、台金の外周に接合された複数のチップを有する。複数のチップは、先端形状が互いに異なる複数種類のチップを含む。周方向に隣接しかつ複数種類のチップを含むチップ群が台金の周縁に沿って複数並ぶ。【０００３】
分割切削型チップソーのチップは、先端形状ごとにひき溝の溝幅方向に異なる箇所を切削する。例えば異なる先端形状を有する４つのチップが、ひき溝を溝幅方向に４分割した各領域をそれぞれ分担して切削する。これにより切削で切り粉が生じる箇所は、チップ形状ごとにひき溝の溝幅方向に異なる。切り粉が小さく分散されることで、ひき溝の溝内から切り粉が排除されやすくなる。そのためチップと被削材の間に切り粉が入り込むことが抑制され、切削効率を高めることができる。しかも分割切削型チップソーの各チップは、ひき溝との接触面積が小さくなる。そのためチップと被削材の間の摩擦力が小さくなる。かくして切削抵抗が低減され、切削に伴う騒音が抑制される。加えて分割切削型チップソーで切削した被削材の切断面は、円滑になる。
【発明の概要】
【発明が解決しようとする課題】
【０００４】
チップソーは、例えば充電式チップソーカッタ（電動丸のこ）に備えられる丸のこ刃である。充電式チップソーカッタの作業性を向上させるために、バッテリの消費が小さいチップソーが望まれている。あるいはチップソーは、例えば定置式チップソーカッタ（チップソー切断機）に備えられる丸のこ刃である。定置式電動マルノコの作業性を向上させるために、切削効率が高く、切断時間の短いチップソーが望まれている。そこで円滑な切断面を形成しつつ、切削抵抗が小さく必要な動力の小さいチップソーが必要とされている。
【課題を解決するための手段】
【０００５】
本発明の１つの特徴によると分割切削型チップソーは、円盤状の台金と、台金の外周に接合された複数のチップを有する。複数のチップは、第１端チップと第２端チップと第１山チップと第２山チップを有する。第１端チップは、台金の周方向から見て台金の厚み方向第１端に径方向外方に突出する先端を具備する。第２端チップは、台金の厚み方向第２端に径方向外方に突出する先端を具備する。第１山チップは、第１端と第２端の間の第１位置において径方向外方に突出する先端を具備する。第２山チップは、第１端と第２端の間の第２位置において径方向外方に突出する先端を具備する。【０００６】
第１端チップと第２端チップは、各先端から他端へ延出する先端傾斜面を有する。第１山チップと第２山チップは、各先端から第１端へ延出する第１傾斜面と、各先端から第２端へ延出する第２傾斜面を有する。各先端傾斜面と各第１傾斜面と各第２傾斜面は、それぞれ台金の軸線と平行でかつ各先端を通る仮想線に対して先端傾き角を有し、各先端傾き角が３°以上かつ１０°以下である。【０００７】
この構成は、少なくとも４種類のチップを有し、各チップが３°以上かつ１０°以下の先端傾き角を有する。これら２つの特徴を有することで、被削材の切断面を円滑としつつ、切削抵抗を小さくできる。このような効果は、誠意研究し実験した結果、従来品と比較して顕著であることがわかった。しかもこの構成とすることで、切削時に発生する音の音圧レベルも小さくすることができる。【０００８】
他の特徴によると複数のチップは、第１端チップと第２端チップと第１山チップと第２山チップの４種類のみから構成される。あるいは複数のチップは、４種類に加え、第１端と第２端の間の第３位置において径方向外方に突出する先端を具備する第３山チップを含む５種類のみから構成される。あるいは複数のチップは、５種類に加え、第１端と第２端の間の第４位置において径方向外方に突出する先端を具備する第４山チップを含む６種類のみから構成される。係る特徴を有する分割切削型チップソーは、従来品と比較して被削材の切断面を円滑にしつつ、切削抵抗と音圧レベルを小さくすることができる。なお４種類のチップから構成されるチップソーは、全チップの先端傾き角が３°以上かつ１０°以下に設定される。【０００９】
他の特徴によると第３山チップと第４山チップは、各先端から第１端へ傾斜する第１傾斜面と、各先端から第２端へ傾斜する第２傾斜面を有する。第３山チップと第４山チップの各第１傾斜面と各第２傾斜面は、それぞれ台金の軸線と平行でかつ各先端を通る仮想線に対して先端傾き角を有し、各先端傾き角が３°以上かつ１０°以下である。したがってなお５種類または６種類のチップから構成されるチップソーは、全チップの先端傾き角が３°以上かつ１０°以下に設定される。係る特徴を有する分割切削型チップソーは、従来品と比較して、被削材の切断面を円滑にしつつ、切削抵抗と音圧レベルを小さくすることができる。【００１０】
他の特徴によると各チップの各先端傾き角が５°以上１０°以下に設定される。あるいは各チップの先端傾き角が６°以上８°以下に設定される。したがって分割切削型チップソーの各チップの先端傾き角を所定の範囲に設定することにより、被削材の切断面をより円滑にしつつ、切削抵抗と音圧レベルをより低減させることができる。【００１１】
他の特徴によると分割切削型チップソーは、各チップの各先端傾き角が全て同一であり、かつ各チップの各先端の径方向位置が同一である。したがって各傾斜面を研削砥石の傾斜を変えることなく研磨することができる。【００１２】
他の特徴によると第１山チップと第２山チップの各先端の径方向位置は、第１端チップと第２端チップの各先端の径方向位置よりも各チップの厚み方向長さの０〜２５％径方向外方であり、好ましくは各チップの厚み方向長さの０〜５％径方向外方である。したがって第１，第２山チップがより確実に被削材に当たって被削材を切削する。これにより切削動力が第１，第２山チップと第１，第２端チップでバランス良く振り分けられる。かくして切削抵抗が特定のチップに集中せず、切削抵抗を低減させることができる。
【図面の簡単な説明】
【００１３】
【図１】４分割の分割切削型チップソーの正面図である。
【図２】図１のＩＩ部分の拡大正面図である。
【図３】４分割の分割切削型チップソーの各チップの歯型を示す周方向から見た図である。
【図４】５分割の分割切削型チップソーの正面図である。
【図５】図４のＶ部分の拡大正面図である。
【図６】５分割の分割切削型チップソーの各チップの歯型を示す周方向から見た図である。
【図７】６分割の分割切削型チップソーの正面図である。
【図８】図７のＶＩＩＩ部分の拡大正面図である。
【図９】６分割の分割切削型チップソーの各チップの歯型を示す周方向から見た図である。
【図１０】平歯状の平歯チップの歯型を示す周方向から見た図である。
【図１１】先端部が平歯状かつ第１端側に傾斜面を有する第１面取り付チップと、先端部が平歯状かつ第２端側に傾斜面を有する第２面取り付チップの歯型を示す周方向から見た図である。
【図１２】先端部が平歯状かつ第１端側と第２端側の両方に傾斜面を有するトリプルチップと、平歯チップの歯型を示す周方向から見た図である。
【図１３】トリプルチップと、第１面取り付チップと、第２面取り付チップの歯型を示す周方向から見た図である。
【図１４】先端傾き角が異なる３種類のチップの歯型を示す周方向から見た図である。
【図１５】図１２の２種類のチップが交互に配置されるチップソーによる被削材の切断面の一部拡大図である。
【図１６】４分割の分割切削型チップソーによる被削材の切断面の一部拡大図である。
【図１７】４分割の分割切削型チップソーによる被削材の切断面の一部拡大図である。
【図１８】図１４の３種類のチップが順に配置される（トップ３分割）チップソーによる被削材の切断面の一部拡大図である。
【図１９】図１０のチップを有するチップソーが被削材を切断する時の動力推移を示すグラフである。
【図２０】図１０のチップを有するチップソーが被削材を切断する時の音圧(瞬時音圧ともいう)の推移を示すグラフである。
【図２１】図１１の２種類のチップが交互に配置されるチップソーが被削材を切断する時の動力推移を示すグラフである。
【図２２】図１１の２種類のチップが交互に配置されるチップソーが被削材を切断する時の音圧の推移を示すグラフである。
【図２３】図１２の２種類のチップが交互に配置されるチップソーが被削材を切断する時の動力推移を示すグラフである。
【図２４】図１２の２種類のチップが交互に配置されるチップソーが被削材を切断する時の音圧の推移を示すグラフである。
【図２５】図１３の３種類のチップが順に配置されるチップソーが被削材を切断する時の動力推移を示すグラフである。
【図２６】図１３の３種類のチップが順に配置されるチップソーが被削材を切断する時の音圧の推移を示すグラフである。
【図２７】４分割の分割切削型チップソーが被削材を切断する時の動力推移を示すグラフである。
【図２８】４分割の分割切削型チップソーが被削材を切断する時の音圧の推移を示すグラフである。
【図２９】５分割の分割切削型チップソーが被削材を切断する時の動力推移を示すグラフである。
【図３０】５分割の分割切削型チップソーが被削材を切断する時の音圧の推移を示すグラフである。
【図３１】トップ３分割の分割切削型チップソーが被削材を切断する時の動力推移を示すグラフである。
【図３２】トップ３分割の分割切削型チップソーが被削材を切断する時の音圧の推移を示すグラフである。
【図３３】各チップソーが被削材を切断する時の正味切削動力の比較を示すグラフである。
【図３４】各チップソーが被削材を切断する時の正味切削動力と騒音（ラウドネス）と音圧レベルの比較を示す表である。
【図３５】従来品に相当する試験品と比較した各分割切削型チップソーの正味切削動力の低減率を示す表である。
【図３６】従来品に相当する試験品と比較した各分割切削型チップソーの騒音（ラウドネス）低減率を示す表である。
【図３７】３分割の分割切削型チップソーの各チップの歯型を示す周方向から見た図である。
【図３８】１０分割の分割切削型チップソーの各チップの歯型を示す周方向から見た図である。
【図３９】種々の分割数と種々の先端傾き角を有する各チップソーによって被削材を切断した時の正味切削動力を示す表である。
【図４０】図３９の結果を表した表である。
【図４１】種々の分割数と種々の先端傾き角を有する各チップソーによって被削材を切断した時の騒音（ラウドネス）の結果を表した表である。
【図４２】図４１の騒音の結果のグラフである。
【図４３】種々の分割数と種々の先端傾き角を有する各チップソーによって被削材を切断した時のＡ特性音圧レベルを示す表である。
【図４４】図４３のＡ特性音圧レベルの結果のグラフである。
【図４５】３分割で先端傾き角が５°の試験品と比較した各試験品の正味切削動力の低減率を示す表である。
【図４６】３分割で先端傾き角が５°の試験品と比較した各試験品のラウドネスの低減率を示す表である。
【図４７】４分割で先端傾き角が７°の分割切削型チップソーが被削材を切断する時のチップソーの振れ幅を示すグラフである。
【図４８】４分割で先端傾き角が１２°の分割切削型チップソーが被削材を切断する時のチップソーの振れ幅を示すグラフである。
【図４９】端チップに対する山チップの先端高さが高い４分割の分割切削型チップソーの各チップの歯型を示す周方向から見た図である。
【図５０】種々の先端高さに設定された山チップと端チップを有する各チップソーによって被削材を切断した時の正味切削動力とラウドネスと音圧レベルを示す表である。
【図５１】図３に示すチップを有する試験品と比較した図４９に示すチップを有する各試験品の正味切削動力の低減率を示す表である。
【図５２】図３に示すチップを有する試験品と比較した図４９に示すチップを有する各試験品のラウドネスの低減率を示す表である。
【発明を実施するための形態】
【００１４】
次に、本発明の一つの実施形態を図１〜３に基づいて説明する。図１に示すように分割切削型チップソー１は、円盤状の台金４と第１山チップ１１と第２山チップ１２と第１端チップ１３と第２端チップ１４を有する。第１山チップ１１と第２山チップ１２と第１端チップ１３と第２端チップ１４の各歯は、台金４の周縁に沿って並びチップ群１０を構成する。分割切削型チップソー１は、例えば炭素鋼、一般構造圧延鋼、クロムモリブデン鋼、ステンレス鋼、鋳鉄等の鉄鋼材料の被削材を切断加工可能である。あるいは分割切削型チップソー１は、例えばアルミ及びアルミ合金、銅及び銅合金等の非鉄金属の被削材を切断加工可能である。
【００１５】
図１に示すように台金４の中心部には台金４の板厚方向に貫通する略円形の取付孔５が設けられる。取付孔５に電動マルノコ等の切削工具の回転軸が挿入されて、分割切削型チップソー１が切削工具に装着される。切削工具の回転軸が回転することで、台金４の円中心を中心として分割切削型チップソー１が図１において時計回りに回転する。以下の説明において、分割切削型チップソー１の回転方向前方を各チップの前側とする。
【００１６】
図１に示すように台金４の周縁には、台金４の径方向外方に突出する突出部６が複数設けられる。隣接する突出部６同士の間には周方向に窪む歯室７が形成される。突出部６には、分割切削型チップソー１の回転方向前方側に、矩形の切欠き状のチップシート８が設けられる。台金４の円盤面には、蛇行状の制振スリット９が複数設けられる。
【００１７】
図１，２に示すようにチップシート８には、第１山チップ１１あるいは第２山チップ１２あるいは第１端チップ１３あるいは第２端チップ１４が接合される。例えば、分割切削型チップソー１の回転方向前方から順に、第１山チップ１１、第２山チップ１２、第１端チップ１３、第２端チップ１４が配置される。各チップの順は違ってもよい。各チップは、例えば超硬合金、サーメットで形成される。あるいは各チップは、例えば超硬合金やサーメットにコーティング等の表面処理が施されたものである。
【００１８】
図２に示すように第１山チップ１１は、分割切削型チップソー１の回転方向前方にすくい面１１ａを有する。台金４の径方向に対するすくい面１１ａのすくい角が略０°である。第１山チップ１１は、台金４の径方向外方に逃げ面１１ｂ（第１傾斜面１１ｃ、第２傾斜面１１ｄ）を有する。図３に示すように第１山チップ１１は、図示左端（台金４の厚み方向の一端）の先端位置に第１端１１ｆを有し、図示右端の先端位置に第２端１１ｇを有する。第１端１１ｆと第２端１１ｇの間の距離は、歯厚１１ｊであり例えば１．１ｍｍである。第１山チップ１１は、第１端１１ｆと第２端１１ｇの間であって、第１端１１ｆから厚み方向に歯厚１１ｊの略３分の１の位置（第１位置）に先端１１ｅを有する。先端１１ｅは、台金４の径方向外方に突出し、第１端１１ｆと第２端１１ｇの間で山形状の頂部にあたる。第１山チップ１１は、先端１１ｅから第１端１１ｆへ延出する第１傾斜面１１ｃと、先端１１ｅから第２端１１ｇへ延出する第２傾斜面１１ｄを有する。
【００１９】
図３に示すように第１傾斜面１１ｃは、台金４の軸線と平行でかつ先端１１ｅを通る仮想線１ａに対して第１先端傾き角１１ｋを有する。第２傾斜面１１ｄは、仮想線１ａに対して第２先端傾き角１１ｌを有する。第１先端傾き角１１ｋと第２先端傾き角１１ｌは３°以上１０°以下であり、例えばそれぞれ５°である。第１山チップ１１は、第１端１１ｆから台金４の径方向内方へ延出する第１側端面１１ｈと、第２端１１ｇから台金４の径方向内方へ延出する第２側端面１１ｉを有する。第１側端面１１ｈと第２側端面１１ｉは、台金４の径方向に対して０°より大きく１°以下の角度、例えば３０′の内側寄りの傾斜角をそれぞれ有する。このわずかな傾斜により、被削材と第１側端面１１ｈまたは第２側端面１１ｉとの間の接触面積が減って切削抵抗が低減する。しかも第１端１１ｆと第２端１１ｇが被削材の切断面に対して突出し過ぎない傾斜であるため、切断面の仕上がりを滑らかにすることができる。
【００２０】
図２に示すように第２山チップ１２も第１山チップ１１と同様に、すくい面１２ａと逃げ面１２ｂ（第１傾斜面１２ｃ、第２傾斜面１２ｄ）を有する。図３に示すように第２山チップ１２は、厚み方向に第１端１２ｆと第２端１２ｇを有し、例えば１．１ｍｍの歯厚１２ｊを有する。第２山チップ１２は、第１端１２ｆと第２端１２ｇの間であって、第２端１２ｇから厚み方向に歯厚１２ｊの略３分の１の位置（第２位置）に先端１２ｅを有する。第２山チップ１２は、先端１２ｅから第１端１２ｆへ延出する第１傾斜面１２ｃと、先端１２ｅから第２端１２ｇへ延出する第２傾斜面１２ｄを有する。第１傾斜面１２ｃは、仮想線１ａに対して第１先端傾き角１２ｋを有する。第２傾斜面１２ｄは、仮想線１ａに対して第２先端傾き角１２ｌを有する。第１先端傾き角１２ｋと第２先端傾き角１２ｌは３°以上１０°以下であり、例えばそれぞれ５°である。
【００２１】
図３に示すように第２山チップ１２も第１山チップ１１と同様に、第１側端面１２ｈと第２側端面１２ｉを有する。第１側端面１２ｈと第２側端面１２ｉは、台金４の径方向に対して０°より大きく１°以下の角度、例えば３０′の内側寄りの傾斜角をそれぞれ有する。
【００２２】
図２に示すように第１端チップ１３も第１山チップ１１と同様に、すくい面１３ａと逃げ面１３ｂ（先端傾斜面１３ｃ）を有する。図３に示すように第１端チップ１３は、厚み方向に第１端１３ｆと第２端１３ｇを有し、例えば１．１ｍｍの歯厚１３ｊを有する。第１端チップ１３は、第１端１３ｆから第２端１３ｇへ延出する先端傾斜面１３ｃを有する。先端傾斜面１３ｃは、仮想線１ａに対して先端傾き角１３ｌを有する。先端傾き角１３ｌは３°以上１０°以下であり、例えば５°である。
【００２３】
図３に示すように第１端チップ１３も第１山チップ１１と同様に、第１側端面１３ｈと第２側端面１３ｉを有する。第１側端面１３ｈと第２側端面１３ｉは、台金４の径方向に対して０°より大きく１°以下の角度、例えば３０′の内側寄りの傾斜角をそれぞれ有する。
【００２４】
図２に示すように第２端チップ１４も第１山チップ１１と同様に、すくい面１４ａと逃げ面１４ｂ（先端傾斜面１４ｃ）を有する。図３に示すように第２端チップ１４は、厚み方向に第１端１４ｆと第２端１４ｇを有し、例えば１．１ｍｍの歯厚１４ｊを有する。第２端チップ１４は、第２端１４ｇから第１端１４ｆへ延出する先端傾斜面１４ｃを有する。先端傾斜面１４ｃは、仮想線１ａに対して先端傾き角１４ｋを有する。先端傾き角１４ｋは３°以上１０°以下であり、例えば５°である。
【００２５】
図３に示すように第２端チップ１４も第１山チップ１１と同様に、第１側端面１４ｈと第２側端面１４ｉを有する。第１側端面１４ｈと第２側端面１４ｉは、台金４の径方向に対して０°より大きく１°以下の角度、例えば３０′の内側寄りの傾斜角をそれぞれ有する。
【００２６】
図１，３に示すように分割切削型チップソー１は、第１山チップ１１と第２山チップ１２と第１端チップ１３と第２端チップ１４の４種類のチップを有する。第１端チップ１３は台金４の径方向外方に突出した第１端１３ｆを有し、第２端チップ１４は台金４の径方向外方に突出した第２端１４ｇを有する。第１山チップ１１は、第１端１１ｆから台金４の厚み方向に歯厚１１ｊの略３分の１の位置に、台金４の径方向外方に突出した先端１１ｅを有する。第２山チップ１２は、第２端１２ｇから台金４の厚み方向に歯厚１１ｊの略３分の１の位置に、台金４の径方向外方に突出した先端１２ｅを有する。
【００２７】
図３に示すように、仮想線１ａに対する先端傾斜面１３ｃの先端傾き角１３ｌと、先端傾斜面１４ｃの先端傾き角１４ｋと、第１傾斜面１１ｃの第１先端傾き角１１ｋと、第２傾斜面１１ｄの第２先端傾き角１１ｌと、第１傾斜面１２ｃの第１先端傾き角１２ｋと、第２傾斜面１２ｄの第２先端傾き角１２ｌは、３°以上かつ１０°以下であり、例えば５°である。好ましくはこれらが全て同じ大きさ、例えば全て５°である。
【００２８】
したがって分割切削型チップソー１は、被削材の切断面を円滑としつつ、切削抵抗の小さい切断加工を可能とする。このような効果は、後述する実験結果から従来品と比較して顕著であることがわかった。しかもこの構成とすることで、切削時に発生する音の音圧レベルも小さくすることができる。さらに分割切削型チップソー１は、各先端傾き角が同一であることにより、各傾斜面を研磨することが容易である。すなわち砥石を先端傾き角に設定することにより、異なる角度に変更する場合の研削砥石の設定や砥石面と傾斜面の距離の補正を容易にすることができる。
【００２９】
加えて各チップが被削材から切削抵抗を最も多く受ける箇所は、各チップが径方向外方に突出した先端１１ｅ，先端１２ｅ，第１端１３ｆ，第２端１４ｇである。先端１１ｅと先端１２ｅと第１端１３ｆと第２端１４ｇは、それぞれ台金４の厚み方向について異なる位置にある。したがって分割切削型チップソー１が被削材から受ける切削抵抗は、台金４の厚み方向についてそれぞれ異なる４箇所に主として分散される。これにより分割切削型チップソー１は台金４の厚み方向の振動が抑制されやすい。さらに台金４の厚み方向の振動の抑制によっても、被削材の切断面の円滑化や切削に伴う音の音圧レベルの低下が期待できる。
【００３０】
次に、他の実施形態を図４〜６に基づいて説明する。この実施形態の分割切削型チップソー２は、図１，２に示すチップ群１０に代えて図４，５に示すチップ群２０を有する。チップ群２０は、台金４の周縁に沿って並ぶ５種類のチップで構成される。５種類のチップは、第１山チップ２１と第２山チップ２２と第３山チップ２３と第１端チップ２４と第２端チップ２５である。以下の説明において、分割切削型チップソー２の回転方向前方（図４において時計回り前方）を各チップの前側とする。５種類のチップの順は図４から図６に限定されるものではない。
【００３１】
図５に示すように第１山チップ２１も図２に示す第１山チップ１１と同様に、すくい面２１ａと逃げ面２１ｂ（第１傾斜面２１ｃ、第２傾斜面２１ｄ）を有する。図６に示すように第１山チップ２１は、厚み方向に第１端２１ｆと第２端２１ｇを有し、例えば１．１ｍｍの歯厚２１ｊを有する。第１山チップ２１は、第１端２１ｆと第２端２１ｇの間であって、第１端２１ｆから厚み方向に歯厚２１ｊの略２分の１の位置（第１位置）に先端２１ｅを有する。第１山チップ２１は、先端２１ｅから第１端２１ｆへ延出する第１傾斜面２１ｃと、先端２１ｅから第２端２１ｇへ延出する第２傾斜面２１ｄを有する。第１傾斜面２１ｃは、台金４の軸線と平行でかつ先端２１ｅを通る仮想線２ａに対して第１先端傾き角２１ｋを有する。第２傾斜面２１ｄは、仮想線２ａに対して第２先端傾き角２１ｌを有する。第１先端傾き角２１ｋと第２先端傾き角２１ｌは３°以上１０°以下であり、例えばそれぞれ５°である。
【００３２】
図５に示すように第２山チップ２２も第１山チップ２１と同様に、すくい面２２ａと逃げ面２２ｂ（第１傾斜面２２ｃ、第２傾斜面２２ｄ）を有する。図６に示すように第２山チップ２２は、厚み方向に第１端２２ｆと第２端２２ｇを有し、例えば１．１ｍｍの歯厚２２ｊを有する。第２山チップ２２は、第１端２２ｆと第２端２２ｇの間であって、第１端２２ｆから厚み方向に歯厚２２ｊの略４分の１の位置（第２位置）に先端２２ｅを有する。第２山チップ２２は、先端２２ｅから第１端２２ｆへ延出する第１傾斜面２２ｃと、先端２２ｅから第２端２２ｇへ延出する第２傾斜面２２ｄを有する。第１傾斜面２２ｃは、仮想線２ａに対して第１先端傾き角２２ｋを有する。第２傾斜面２２ｄは、仮想線２ａに対して第２先端傾き角２２ｌを有する。第１先端傾き角２２ｋと第２先端傾き角２２ｌは３°以上１０°以下であり、例えばそれぞれ５°である。
【００３３】
図５に示すように第３山チップ２３も第１山チップ２１と同様に、すくい面２３ａと逃げ面２３ｂ（第１傾斜面２３ｃ、第２傾斜面２３ｄ）を有する。図６に示すように第３山チップ２３は、厚み方向に第１端２３ｆと第２端２３ｇを有し、例えば１．１ｍｍの歯厚２３ｊを有する。第３山チップ２３は、第１端２３ｆと第２端２３ｇの間であって、第２端２３ｇから厚み方向に歯厚２３ｊの略４分の１の位置（第３位置）に先端２３ｅを有する。第３山チップ２３は、先端２３ｅから第１端２３ｆへ延出する第１傾斜面２３ｃと、先端２３ｅから第２端２３ｇへ延出する第２傾斜面２３ｄを有する。第１傾斜面２３ｃは、仮想線２ａに対して第１先端傾き角２３ｋを有する。第２傾斜面２３ｄは、仮想線２ａに対して第２先端傾き角２３ｌを有する。第１先端傾き角２３ｋと第２先端傾き角２３ｌは３°以上１０°以下であり、例えばそれぞれ５°である。
【００３４】
図５に示すように第１端チップ２４も第１山チップ２１と同様に、すくい面２４ａと逃げ面２４ｂ（先端傾斜面２４ｃ）を有する。図６に示すように第１端チップ２４は、厚み方向に第１端２４ｆと第２端２４ｇを有し、例えば１．１ｍｍの歯厚２４ｊを有する。第１端チップ２４は、第１端２４ｆから第２端２４ｇへ延出する先端傾斜面２４ｃを有する。先端傾斜面２４ｃは、仮想線２ａに対して先端傾き角２４ｌを有する。先端傾き角２４ｌは３°以上１０°以下であり、例えば５°である。
【００３５】
図５に示すように第２端チップ２５も第１山チップ２１と同様に、すくい面２５ａと逃げ面２５ｂ（先端傾斜面２５ｃ）を有する。図６に示すように第２端チップ２５は、厚み方向に第１端２５ｆと第２端２５ｇを有し、例えば１．１ｍｍの歯厚２５ｊを有する。第２端チップ２５は、第２端２５ｇから第１端２５ｆへ延出する先端傾斜面２５ｃを有する。先端傾斜面２５ｃは、仮想線２ａに対して先端傾き角２５ｋを有する。先端傾き角２５ｋは３°以上１０°以下であり、例えば５°である。
【００３６】
図６に示すように第１山チップ２１も図３に示す第１山チップ１１と同様に、第１側端面２１ｈと第２側端面２１ｉを有する。同様にして第２山チップ２２は、第１側端面２２ｈと第２側端面２２ｉを有する。第３山チップ２３は、第１側端面２３ｈと第２側端面２３ｉを有する。第１端チップ２４は、第１側端面２４ｈと第２側端面２４ｉを有する。第２端チップ２５は、第１側端面２５ｈと第２側端面２５ｉを有する。第１側端面２１ｈ，２２ｈ，２３ｈ，２４ｈ，２５ｈと第２側端面２１ｉ，２２ｉ，２３ｉ，２４ｉ，２５ｉは、台金４の径方向に対して０°より大きく１°以下の角度、例えば３０′の内側寄りの傾斜角をそれぞれ有する。
【００３７】
図４，６に示すように分割切削型チップソー２は、第１山チップ２１と第２山チップ２２と第３山チップ２３と第１端チップ２４と第２端チップ２５の５種類のチップを有する。第１端チップ２４は径方向外方に突出した第１端２４ｆを有し、第２端チップ２５は径方向外方に突出した第２端２５ｇを有する。第１山チップ２１は、第１端２１ｆから厚み方向に歯厚２１ｊの略２分の１の位置に、径方向外方に突出した先端２１ｅを有する。第２山チップ２２は、第１端２２ｆから厚み方向に歯厚２２ｊの略４分の１の位置に、径方向外方に突出した先端２２ｅを有する。第３山チップ２３は、第２端２３ｇから厚み方向に歯厚２３ｊの略４分の１の位置に、径方向外方に突出した先端２３ｅを有する。
【００３８】
図６に示すように、仮想線２ａに対する先端傾斜面２４ｃの先端傾き角２４ｌと、先端傾斜面２５ｃの先端傾き角２５ｋと、第１傾斜面２１ｃの第１先端傾き角２１ｋと、第２傾斜面２１ｄの第２先端傾き角２１ｌと、第１傾斜面２２ｃの第１先端傾き角２２ｋと、第２傾斜面２２ｄの第２先端傾き角２２ｌと、第１傾斜面２３ｃの第１先端傾き角２３ｋと、第２傾斜面２３ｄの第２先端傾き角２３ｌは、３°以上かつ１０°以下であり、例えば５°である。好ましくはこれらが全て同じ大きさ、例えば全て５°である。
【００３９】
したがって図４に示す分割切削型チップソー２は、図１に示す分割切削型チップソー１と同様の効果を奏する。例えば分割切削型チップソー２は、被削材の切断面を円滑としつつ、切削抵抗の小さい切断加工を可能とし、しかも切削時に発生する音の音圧レベルも小さくすることができる。さらに分割切削型チップソー２は、各傾斜面を研磨することが容易である。加えて分割切削型チップソー２は、台金４の厚み方向の振動が抑制されやすい。この効果によっても被削材の切断面の円滑化や切削に伴う音の音圧レベルの低下が期待できる。
【００４０】
次に、他の実施形態を図７〜９に基づいて説明する。この実施形態の分割切削型チップソー３は、図１，２に示すチップ群１０に代えて図７，８に示すチップ群３０を有する。チップ群３０は、台金４の周縁に沿って並ぶ６種類のチップで構成される。６種類のチップは、第１山チップ３１と第２山チップ３２と第３山チップ３３と第４山チップ３４と第１端チップ３５と第２端チップ３６である。以下の説明において、分割切削型チップソー３の回転方向前方（図４において時計回り前方）を各チップの前側とする。６種類のチップの順は図７から図９に限定されるものではない。
【００４１】
図８に示すように第１山チップ３１も図２に示す第１山チップ１１と同様に、すくい面３１ａと逃げ面３１ｂ（第１傾斜面３１ｃ、第２傾斜面３１ｄ）を有する。図９に示すように第１山チップ３１は、厚み方向に第１端３１ｆと第２端３１ｇを有し、例えば１．１ｍｍの歯厚３１ｊを有する。第１山チップ３１は、第１端３１ｆと第２端３１ｇの間であって、第１端３１ｆから厚み方向に歯厚３１ｊの略５分の２の位置（第１位置）に先端３１ｅを有する。第１山チップ３１は、先端３１ｅから第１端３１ｆへ延出する第１傾斜面３１ｃと、先端３１ｅから第２端３１ｇへ延出する第２傾斜面３１ｄを有する。第１傾斜面３１ｃは、台金４の軸線と平行でかつ先端３１ｅを通る仮想線３ａに対して第１先端傾き角３１ｋを有する。第２傾斜面３１ｄは、仮想線３ａに対して第２先端傾き角３１ｌを有する。第１先端傾き角３１ｋと第２先端傾き角３１ｌは３°以上１０°以下であり、例えばそれぞれ５°である。
【００４２】
図８に示すように第２山チップ３２も第１山チップ３１と同様に、すくい面３２ａと逃げ面３２ｂ（第１傾斜面３２ｃ、第２傾斜面３２ｄ）を有する。図９に示すように第２山チップ３２は、厚み方向に第１端３２ｆと第２端３２ｇを有し、例えば１．１ｍｍの歯厚３２ｊを有する。第２山チップ３２は、第１端３２ｆと第２端３２ｇの間であって、第２端３２ｇから厚み方向に歯厚３２ｊの略５分の２の位置（第２位置）に先端３２ｅを有する。第２山チップ３２は、先端３２ｅから第１端３２ｆへ延出する第１傾斜面３２ｃと、先端３２ｅから第２端３２ｇへ延出する第２傾斜面３２ｄを有する。第１傾斜面３２ｃは、仮想線３ａに対して第１先端傾き角３２ｋを有する。第２傾斜面３２ｄは、仮想線３ａに対して第２先端傾き角３２ｌを有する。第１先端傾き角３２ｋと第２先端傾き角３２ｌは３°以上１０°以下であり、例えばそれぞれ５°である。
【００４３】
図８に示すように第３山チップ３３も第１山チップ３１と同様に、すくい面３３ａと逃げ面３３ｂ（第１傾斜面３３ｃ、第２傾斜面３３ｄ）を有する。図９に示すように第３山チップ３３は、厚み方向に第１端３３ｆと第２端３３ｇを有し、例えば１．１ｍｍの歯厚３３ｊを有する。第３山チップ３３は、第１端３３ｆと第２端３３ｇの間であって、第１端３３ｆから厚み方向に歯厚３３ｊの略５分の１の位置（第３位置）に先端３３ｅを有する。第３山チップ３３は、先端３３ｅから第１端３３ｆへ延出する第１傾斜面３３ｃと、先端３３ｅから第２端３３ｇへ延出する第２傾斜面３３ｄを有する。第１傾斜面３３ｃは、仮想線３ａに対して第１先端傾き角３３ｋを有する。第２傾斜面３３ｄは、仮想線３ａに対して第２先端傾き角３３ｌを有する。第１先端傾き角３３ｋと第２先端傾き角３３ｌは３°以上１０°以下であり、例えばそれぞれ５°である。
【００４４】
図８に示すように第４山チップ３４も第１山チップ３１と同様に、すくい面３４ａと逃げ面３４ｂ（第１傾斜面３４ｃ、第２傾斜面３４ｄ）を有する。図９に示すように第４山チップ３４は、厚み方向に第１端３４ｆと第２端３４ｇを有し、例えば１．１ｍｍの歯厚３４ｊを有する。第４山チップ３４は、第１端３４ｆと第２端３４ｇの間であって、第２端３４ｇから厚み方向に歯厚３４ｊの略５分の１の位置（第４位置）に先端３４ｅを有する。第４山チップ３４は、先端３４ｅから第１端３４ｆへ延出する第１傾斜面３４ｃと、先端３４ｅから第２端３４ｇへ延出する第２傾斜面３４ｄを有する。第１傾斜面３４ｃは、仮想線３ａに対して第１先端傾き角３４ｋを有する。第２傾斜面３４ｄは、仮想線３ａに対して第２先端傾き角３４ｌを有する。第１先端傾き角３４ｋと第２先端傾き角３４ｌは３°以上１０°以下であり、例えばそれぞれ５°である。
【００４５】
図８に示すように第１端チップ３５も第１山チップ３１と同様に、すくい面３５ａと逃げ面３５ｂ（先端傾斜面３５ｃ）を有する。図９に示すように第１端チップ３５は、厚み方向に第１端３５ｆと第２端３５ｇを有し、例えば１．１ｍｍの歯厚３５ｊを有する。第１端チップ３５は、第１端３５ｆから第２端３５ｇへ延出する先端傾斜面３５ｃを有する。先端傾斜面３５ｃは、仮想線３ａに対して先端傾き角３５ｌを有する。先端傾き角３５ｌは３°以上１０°以下であり、例えば５°である。
【００４６】
図８に示すように第２端チップ３６も第１山チップ３１と同様に、すくい面３６ａと逃げ面３６ｂ（先端傾斜面３６ｃ）を有する。図９に示すように第２端チップ３６は、厚み方向に１端３６ｆと第２端３６ｇを有し、例えば１．１ｍｍの歯厚３６ｊを有する。第２端チップ３６は、第２端３６ｇから第１端３６ｆへ延出する先端傾斜面３６ｃを有する。先端傾斜面３６ｃは、仮想線３ａに対して先端傾き角３６ｋを有する。先端傾き角３６ｋは３°以上１０°以下であり、例えば５°である。
【００４７】
図９に示すように第１山チップ３１も図３に示す第１山チップ１１と同様に、第１側端面３１ｈと第２側端面３１ｉを有する。同様にして第２山チップ３２は、第１側端面３２ｈと第２側端面３２ｉを有する。第３山チップ３３は、第１側端面３３ｈと第２側端面３３ｉを有する。第４山チップ３４は、第１側端面３４ｈと第２側端面３４ｉを有する。第１端チップ３５は、第１側端面３５ｈと第２側端面３５ｉを有する。第２端チップ３６は、第１側端面３６ｈと第２側端面３６ｉを有する。第１側端面３１ｈ，３２ｈ，３３ｈ，３４ｈ，３５ｈ，３６ｈと第２側端面３１ｉ，３２ｉ，３３ｉ，３４ｉ，３５ｉ，３６ｉは、台金４の径方向に対して０°より大きく１°以下の角度、例えば３０′の内側寄りの傾斜角をそれぞれ有する。
【００４８】
図７，９に示すように分割切削型チップソー３は、第１山チップ３１と第２山チップ３２と第３山チップ３３と第４山チップ３４と第１端チップ３５と第２端チップ３６の６種類のチップを有する。第１端チップ３５は径方向外方に突出した第１端３５ｆを有し、第２端チップ３６は径方向外方に突出した第２端３６ｇを有する。第１山チップ３１は、第１端３１ｆから厚み方向に歯厚３１ｊの略５分の２の位置に、径方向外方に突出した先端３１ｅを有する。第２山チップ３２は、第２端３２ｇから厚み方向に歯厚３２ｊの略５分の２の位置に、径方向外方に突出した先端３２ｅを有する。第３山チップ３３は、第１端３３ｆから厚み方向に歯厚３３ｊの略５分の１の位置に、径方向外方に突出した先端３３ｅを有する。第４山チップ３４は、第２端３４ｇから厚み方向に歯厚３４ｊの略５分の１の位置に、径方向外方に突出した先端３４ｅを有する。
【００４９】
図９に示すように、仮想線３ａに対する先端傾斜面３５ｃの先端傾き角３５ｌと、先端傾斜面３６ｃの先端傾き角３６ｋと、第１傾斜面３１ｃの第１先端傾き角３１ｋと、第２傾斜面３１ｄの第２先端傾き角３１ｌと、第１傾斜面３２ｃの第１先端傾き角３２ｋと、第２傾斜面３２ｄの第２先端傾き角３２ｌと、第１傾斜面３３ｃの第１先端傾き角３３ｋと、第２傾斜面３３ｄの第２先端傾き角３３ｌと、第１傾斜面３４ｃの第１先端傾き角３４ｋと、第２傾斜面３４ｄの第２先端傾き角３４ｌは、３°以上かつ１０°以下であり、例えば５°である。好ましくはこれらが全て同じ大きさ、例えば全て５°である。
【００５０】
したがって図７に示す分割切削型チップソー３は、図１に示す分割切削型チップソー１と同様の効果を奏する。例えば分割切削型チップソー３は、被削材の切断面を円滑としつつ、切削抵抗の小さい切断加工を可能とし、しかも切削時に発生する音の音圧レベルも小さくすることができる。さらに分割切削型チップソー３は、各傾斜面を研磨することが容易である。加えて分割切削型チップソー３は、台金４の厚み方向の振動が抑制されやすい。この効果によっても被削材の切断面の円滑化や切削に伴う音の音圧レベルの低下が期待できる。
【００５１】
次に、上記した実施形態に係る分割切削型チップソーと、従来品と同様のチップを有するチップソーの切削に関する比較実験とその結果を示す。実験の一つとして、被削材を切断する時の被削材の切断面と切削動力推移と切削時の騒音を比較した。試験品は、全て外径３０５ｍｍ×歯厚２．５ｍｍ×ボディ厚（台金厚）２．２ｍｍ×取付孔径２５．４ｍｍ×歯数６０個のチップソーである。被削材は、外径３１．８ｍｍ×厚さ１．６ｍｍの機械構造用炭素鋼（ＳＴＫＭ１１Ａ）パイプ材を用いた。回転数１４８５ｒｐｍ、送り速度１．０ｍ毎分で鋸出量が５０ｍｍのアップカットの切削条件で切削した。
【００５２】
図１０に示すように試験品１００は、１種類の平歯チップ１０１を有する。平歯チップ１０１は、図示左端の先端位置の第１端１０１ｂと図示右端の先端位置の第２端１０１ｃの間に先端傾き角が０°の先端面１０１ａを有する。
【００５３】
図１１に示すように試験品１１０は、台金の周縁に交互に並ぶ第１面取り付チップ１１１と第２面取り付チップ１１２を有する。第１面取り付チップ１１１は、先端面１１１ａと傾斜面１１１ｂを有する。先端面１１１ａは、第２端１１１ｅから第１端１１１ｄと第２端１１１ｅの間の角部１１１ｃまで先端傾き角０°で延出する。角部１１１ｃは、第１端１１１ｄから厚み方向に歯厚１１１ｆの略３分の１の位置に位置する。傾斜面１１１ｂは、角部１１１ｃから先端傾き角４５°を有して第１端１１１ｄへ延出する。
【００５４】
図１１に示すように第２面取り付チップ１１２は、先端面１１２ａと傾斜面１１２ｂを有する。先端面１１２ａは、第１端１１２ｄから第１端１１２ｄと第２端１１２ｅの間の角部１１２ｃまで先端傾き角０°で延出する。角部１１２ｃは、第２端１１２ｅから厚み方向に歯厚１１２ｆの略３分の１の位置に位置する。傾斜面１１２ｂは、角部１１２ｃから先端傾き角４５°を有して第２端１１２ｅへ延出する。
【００５５】
図１２に示すように試験品１２０は、台金の周縁に交互に並ぶトリプルチップ１２１と平歯チップ１２２を有する。平歯チップ１２２は、第１端１２２ｂと第２端１２２ｃの間に先端傾き角が０°の先端面１２２ａを有する。
【００５６】
図１２に示すようにトリプルチップ１２１は、中央領域に先端面１２１ａを有し、左右両側に第１傾斜面１２１ｂと第２傾斜面１２１ｃを有する。先端面１２１ａは、第１角部１２１ｄと第２角部１２１ｅの間において先端傾き角が０°を有して延出する。第１角部１２１ｄは、第１端１２１ｆから厚み方向に歯厚１２１ｈの略３分の１の位置に位置する。第２角部１２１ｅは、第２端１２１ｇから厚み方向に歯厚１２１ｈの略３分の１の位置に位置する。第１傾斜面１２１ｂは、第１角部１２１ｄから先端傾き角４５°を有して第１端１２１ｆへ延出する。第２傾斜面１２１ｃは、第２角部１２１ｅから先端傾き角４５°を有して第２端１２１ｇへ延出する。先端面１２１ａは平歯チップ１２２の先端面１２２ａより径方向へ突出している。
【００５７】
図１３に示すように試験品１３０は、台金の周縁に周方向に順に並ぶトリプルチップ１３１と第１面取り付チップ１３２と第２面取り付チップ１３３を有する。トリプルチップ１３１は、中央領域に先端面１３１ａを有し、左右両側に第１傾斜面１３１ｂと第２傾斜面１３１ｃを有する。先端面１３１ａは、第１角部１３１ｄと第２角部１３１ｅの間において先端傾き角が０°を有して延出する。第１角部１３１ｄは、第１端１３１ｆから厚み方向に歯厚１３１ｈの略３分の１の位置に位置する。第２角部１３１ｅは、第２端１３１ｇから厚み方向に歯厚１３１ｈの略３分の１の位置に位置する。第１傾斜面１３１ｂは、第１角部１３１ｄから先端傾き角４５°を有して第１端１３１ｆへ延出する。第２傾斜面１３１ｃは、第２角部１３１ｅから先端傾き角４５°を有して第２端１３１ｇへ延出する。
【００５８】
図１３に示すように第１面取り付チップ１３２は、先端面１３２ａと傾斜面１３２ｂを有する。先端面１３２ａは、第２端１３２ｅから第１端１３２ｄと第２端１３２ｅの間の角部１３２ｃまで先端傾き角０°で延出する。先端面１３２ａは、台金に接合された状態でトリプルチップ１３１の先端面１３１ａよりも台金の径方向に高さ差１３２ｇだけ台金の中心に近い場所に位置する。高さ差１３２ｇは例えば０．２ｍｍである。角部１３２ｃは、第１端１３２ｄから厚み方向に歯厚１３２ｆの略３分の１の位置に位置する。傾斜面１３２ｂは、角部１３２ｃから先端傾き角４５°を有して第１端１３２ｄへ延出する。
【００５９】
図１３に示すように第２面取り付チップ１３３は、先端面１３３ａと傾斜面１３３ｂを有する。先端面１３３ａは、第１端１３３ｄから第１端１３３ｄと第２端１３３ｅの間の角部１３３ｃまで先端傾き角０°で延出する。先端面１３３ａは、台金に接合された状態でトリプルチップ１３１の先端面１３１ａよりも台金の径方向に高さ差１３３ｇだけ台金の中心に近い場所に位置する。高さ差１３３ｇは例えば０．２ｍｍである。角部１３３ｃは、第２端１３３ｅから厚み方向に歯厚１３３ｆの略３分の１の位置に位置する。傾斜面１３３ｂは、角部１３３ｃから先端傾き角４５°を有して第２端１３３ｅへ延出する。
【００６０】
図３３中の試験品１４０は、図３に示すチップを有する実施形態のチップソーである。試験品１４０は、台金の周縁に周方向に並んだ図３に示す第１山チップ１１と第２山チップ１２と第１端チップ１３と第２端チップ１４を有する。図３３中の試験品１５０は、図６に示すチップを有する実施形態のチップソーである。試験品１５０は、台金の周縁に周方向に並んだ図６に示す第１山チップ２１と第２山チップ２２と第３山チップ２３と第１端チップ２４と第２端チップ２５を有する。
【００６１】
図１４に示すように試験品１６０は、台金の周縁に周方向に順に並ぶ山型チップ１６１と第１トリプルチップ１６２と第２トリプルチップ１６３を有する。山型チップ１６１は、第１傾斜面１６１ａと第２傾斜面１６１ｂを有する。第１傾斜面１６１ａは、第１端１６１ｄと第２端１６１ｅの間の先端１６１ｃから第１端１６１ｄまで先端傾き角５°で延出する。先端１６１ｃは、第１端１６１ｄから厚み方向に歯厚１６１ｆの略２分の１の位置に位置する。第２傾斜面１６１ｂは、先端１６１ｃから先端傾き角５°を有して第２端１６１ｅへ延出する。
【００６２】
図１４に示すように第１トリプルチップ１６２は、中央領域に先端面１６２ａを有し、左右両側に第１傾斜面１６２ｂと第２傾斜面１６２ｃを有する。先端面１６２ａは、第１角部１６２ｄと第２角部１６２ｅの間において先端傾き角が０°を有して延出する。先端面１６２ａは、台金に接合された状態で山型チップ１６１の先端１６１ｃよりも台金の径方向に高さ差１６２ｉだけ外方の場所に位置する。高さ差１６２ｉは例えば０．２ｍｍである。第１角部１６２ｄは、第１端１６２ｆから厚み方向に歯厚１６２ｈの略１０分の３の位置に位置する。第２角部１６２ｅは、第２端１６２ｇから厚み方向に歯厚１６２ｈの略１０分の３の位置に位置する。第１傾斜面１６２ｂは、第１角部１６２ｄから先端傾き角３０°を有して第１端１６２ｆへ延出する。第２傾斜面１６２ｃは、第２角部１６２ｅから先端傾き角３０°を有して第２端１６２ｇへ延出する。
【００６３】
図１４に示すように第２トリプルチップ１６３は、中央領域に先端面１６３ａを有し、左右両側に第１傾斜面１６３ｂと第２傾斜面１６３ｃを有する。先端面１６３ａは、第１角部１６３ｄと第２角部１６３ｅの間において先端傾き角が０°を有して延出する。先端面１６３ａは、台金に接合された状態で第１トリプルチップ１６２の先端面１６２ａよりも台金の径方向に高さ差１６３ｉだけ外方の場所に位置する。高さ差１６３ｉは例えば０．２ｍｍである。第１角部１６３ｄは、第１端１６３ｆから厚み方向に歯厚１６３ｈの略３分の１の位置に位置する。第２角部１６３ｅは、第２端１６３ｇから厚み方向に歯厚１６３ｈの略３分の１の位置に位置する。第１傾斜面１６３ｂは、第１角部１６３ｄから先端傾き角４５°を有して第１端１６３ｆへ延出する。第２傾斜面１６３ｃは、第２角部１６３ｅから先端傾き角４５°を有して第２端１６３ｇへ延出する。
【００６４】
各試験品で被削材を切断した後の切断面を図１５〜１８を参照して比較する。図１５は、従来品に相当する試験品１３０で切断した被削材の切断面を示す。図１６、１７は、実施形態に係る試験品１４０，１５０で切断した被削材の切断面を示す。図１８は比較対象である試験品１６０で切断した被削材の切断面を示す。従来品に相当する試験品１００，１１０，１２０，１３０による切断面と、実施形態に係る試験品１４０，１５０による切断面では、大きな差異は見られなかった。図１８に示すように比較対象である試験品１６０による切断面では、鋸刃出口側（図中パイプ内周側）に大きなバリが発生した。
【００６５】
各試験品で被削材を切断している際の切断時の動力と騒音を測定した。各試験片における動力の変化を図１９，２１，２３，２５，２７，２９，３１に示した。図１９等で示すように切断始め（図中左端）と切断終わり（図中右端）は空転時の動力である。パイプ状の被削材を軸方向に対して直交するようにリング形状に切断するため、動力推移は２箇所のピークを有する。すなわち切断始めと切断終り近傍において動力のピークが現れる。本実施形態の試験品１４０，１５０で切断した場合の動力は、他の試験品と比較してピーク値が小さく、変動幅も小さかった。特に傾斜面を設けない試験品１００と比較すると正味切削動力が顕著に低減しており、試験品１１０，１２０，１３０と比較しても正味切削動力が十分に低減した。試験品１６０は試験品１５０と似通った動力推移となった。
【００６６】
各試験片における音圧の時間変化を図２０，２２，２４，２６，２８，３０，３２に示した。音圧は、切削点から略１ｍ離れた位置に設置した騒音計で測定した。本実施形態の試験品１４０，１５０で切断した場合の音圧は、他の試験品よりも十分に小さかった。本実施形態の試験品１４０は、音圧の変動が特に小さく、小さい音圧のまま推移した。本実施形態の試験品１５０は、特に音圧が約２Ｐａと小さい値である場合もあり、全体的にも音圧は小さく抑えられた。一方動力推移が試験品１５０と似ていた試験品１６０は、音圧が概ね１０Ｐａ以上の比較的大きい騒音が発生した。
【００６７】
各試験品の正味切削動力を図３３〜３５において比較した。正味切削動力は、図１９，２１，２３，２５，２７，２９，３１の動力推移から空転動力を差し引きした値である。各試験品について試験を２回行い、その平均値を比較した。図３３中の黒塗りのバーは試験で得た値であり、白抜きのバーは平均値である。図３５に示すように本実施形態の試験品１４０，１５０の正味切削動力は、他の試験品１００，１１０，１２０と比較して１５〜２４％低かった。正味切削動力が低いということは切削抵抗が小さくなるということである。
【００６８】
各試験品の切断時の騒音を図３４，３６において比較した。図３４のラウドネスは、測定した音圧レベルを周波数毎に重みを付けて算出して人間が感じる騒音に対応する度合いである。図３６は、試験品１００，１１０，１２０のそれぞれを基準とした本実施形態の試験品１４０，１５０の騒音（ラウドネス）の低減率を示す。図３６に示すように本実施形態の試験品１４０，１５０の騒音低減率は、他の試験品１００，１１０，１２０と比較して１３〜１９％であった。
【００６９】
次に、チップの各分割数と各先端傾き角を有する分割切削型チップソーにおいて切削に関する比較実験を行った。各チップソーにおいて被削材を切断する際、正味切削動力と切削時の騒音（ラウドネス）とＡ特性音圧レベル（音圧レベル）を測定または測定結果から算出した。正味切削動力は、実測した切削動力から空転動力を差し引くことで求める。正味切削動力が低い際、切削抵抗が小さい。
【００７０】
Ａ特性音圧レベルは、実測した各周波数の音圧レベルに対して人間が聞き易い周波数により大きな重み付けた音圧レベルである。本試験では、上記試験の実験機に代えて防音カバーを備えた実験機を使用した。試験品の台金形状や歯数等及び切削条件は、歯厚を２．２ｍｍとし、ボディ厚を１．８ｍｍとし、その他の条件を上記試験と同様にした。各試験品の先端傾き角（第１先端傾き角、第２先端傾き角）は、同一試験品において同じ角度で設定される。試験品の各チップの先端高さ（台金の中心に対する径方向位置）は、同じ高さに設定される。
【００７１】
図３９中の４分割の試験品２００，２１０，２２０，２３０，２４０には、図３に示す第１山チップ１１と第２山チップ１２と第１端チップ１３と第２端チップ１４が、台金の周縁に周方向に順に並んで設けられる。５分割の試験品２５０，２６０，２７０，２８０，２９０には、図６に示す第１山チップ２１と第２山チップ２２と第３山チップ２３と第１端チップ２４と第２端チップ２５が設けられる。６分割の試験品３００，３１０，３２０，３３０，３４０には、図９に示す第１山チップ３１と第２山チップ３２と第３山チップ３３と第４山チップ３４と第１端チップ３５と第２端チップ３６が設けられる。
【００７２】
図３９中の試験品２００，２５０，３００の各チップの各先端傾き角は、３°である。試験品２１０，２６０，３１０，３５０，３６０の各先端傾き角は、５°である。試験品２２０，２７０，３２０の各先端傾き角は、７°である。試験品２３０，２８０，３３０の各先端傾き角は、１０°である。試験品２４０，２９０，３４０の各先端傾き角は、１２°である。
【００７３】
図３９中の３分割の試験品３５０は、図３７に示すように台金の周縁に周方向に順に並ぶ山チップ４１と第１端チップ４２と第２端チップ４３を有する。山チップ４１と第１端チップ４２と第２端チップ４３は、図示左端の先端位置に第１端４１ｆ，４２ｆ，４３ｆをそれぞれ有し、図示右端の先端位置に第２端４１ｇ，４２ｇ，４３ｇをそれぞれ有する。山チップ４１と第１端チップ４２と第２端チップ４３は、それぞれ例えば２．２ｍｍの歯厚４１ｊ，４２ｊ，４３ｊを有する。
【００７４】
図３７に示すように山チップ４１と第１端チップ４２と第２端チップ４３は、第１端４１ｆ，４２ｆ，４３ｆから台金の径方向内方へ延出する第１側端面４１ｈ，４２ｈ，４３ｈをそれぞれ有する。山チップ４１と第１端チップ４２と第２端チップ４３は、同様にして第２端４１ｇ，４２ｇ，４３ｇから延出する第２側端面４１ｉ，４２ｉ，４３ｉをそれぞれ有する。第１側端面４１ｈ，４２ｈ，４３ｈと第２側端面４１ｉ，４２ｉ，４３ｉは、台金の径方向に対して例えば３０′の内側寄りの傾斜角をそれぞれ有する。
【００７５】
図３７に示すように山チップ４１は、第１端４１ｆから厚み方向に歯厚４１ｊの略２分の１の位置に先端４１ｅを有する。山チップ４１は、先端４１ｅから第１端４１ｆへ延出する第１傾斜面４１ｃと、先端４１ｅから第２端４１ｇへ延出する第２傾斜面４１ｄを有する。第１傾斜面４１ｃは、台金の軸線と平行でかつ先端４１ｅを通る仮想線Ｌ１に対して第１先端傾き角４１ｋを有する。第２傾斜面４１ｄは、仮想線Ｌ１に対して第２先端傾き角４１ｌを有する。第１先端傾き角４１ｋと第２先端傾き角４１ｌは、それぞれ５°である。第１端チップ４２は、第１端４２ｆから第２端４２ｇへ延出する先端傾斜面４２ｃを有する。先端傾斜面４２ｃは、仮想線Ｌ１に対して５°の先端傾き角４２ｌを有する。第２端チップ４３は、第２端４３ｇから第１端４３ｆへ延出する先端傾斜面４３ｃを有する。先端傾斜面４３ｃは、仮想線Ｌ１に対して５°の先端傾き角４３ｋを有する。
【００７６】
図３９中の１０分割の試験品３６０は、図３８に示すように台金の周縁に周方向に順に並ぶ山チップ５１〜５８と第１端チップ５９と第２端チップ６０を有する。山チップ５１〜５８と第１端チップ５９と第２端チップ６０は、図示左端の先端位置に第１端５１ｆ，５２ｆ，５３ｆ，５４ｆ，５５ｆ，５６ｆ，５７ｆ，５８ｆ，５９ｆ，６０ｆをそれぞれ有する。山チップ５１〜５８と第１端チップ５９と第２端チップ６０は、図示右端の先端位置に第２端５１ｇ，５２ｇ，５３ｇ，５４ｇ，５５ｇ，５６ｇ，５７ｇ，５８ｇ，５９ｇ，６０ｇを有する。山チップ５１〜５８と第１端チップ５９と第２端チップ６０は、それぞれ例えば２．２ｍｍの歯厚５１ｊ，５２ｊ，５３ｊ，５４ｊ，５５ｊ，５６ｊ，５７ｊ，５８ｊ，５９ｊ，６０ｊを有する。
【００７７】
図３８に示すように山チップ５１〜５８と第１端チップ５９と第２端チップ６０は、第１端５１ｆ，５２ｆ，５３ｆ，５４ｆ，５５ｆ，５６ｆ，５７ｆ，５８ｆ，５９ｆ，６０ｆから台金の径方向内方へ延出する第１側端面５１ｈ，５２ｈ，５３ｈ，５４ｈ，５５ｈ，５６ｈ，５７ｈ，５８ｈ，５９ｈ，６０ｈをそれぞれ有する。山チップ５１〜５８と第１端チップ５９と第２端チップ６０は、同様にして第２端５１ｇ，５２ｇ，５３ｇ，５４ｇ，５５ｇ，５６ｇ，５７ｇ，５８ｇ，５９ｇ，６０ｇから延出する第２側端面５１ｉ，５２ｉ，５３ｉ，５４ｉ，５５ｉ，５６ｉ，５７ｉ，５８ｉ，５９ｉ，６０ｉをそれぞれ有する。第１側端面５１ｈ，５２ｈ，５３ｈ，５４ｈ，５５ｈ，５６ｈ，５７ｈ，５８ｈ，５９ｈ，６０ｈと第２側端面５１ｉ，５２ｉ，５３ｉ，５４ｉ，５５ｉ，５６ｉ，５７ｉ，５８ｉ，５９ｉ，６０ｉは、台金の径方向に対して例えば３０′の内側寄りの傾斜角をそれぞれ有する。
【００７８】
図３８に示すように山チップ５１は、第１端５１ｆから厚み方向に歯厚５１ｊの略９分の４の位置に先端５１ｅを有する。山チップ５２は、第２端５２ｇから厚み方向に歯厚５２ｊの略９分の４の位置に先端５２ｅを有する。山チップ５３は、第１端５３ｆから厚み方向に歯厚５３ｊの略３分の１の位置に先端５３ｅを有する。山チップ５４は、第２端５４ｇから厚み方向に歯厚５４ｊの略３分の１の位置に先端５４ｅを有する。山チップ５５は、第１端５５ｆから厚み方向に歯厚５５ｊの略９分の２の位置に先端５５ｅを有する。山チップ５６は、第２端５６ｇから厚み方向に歯厚５６ｊの略９分の２の位置に先端５６ｅを有する。山チップ５７は、第１端５７ｆから厚み方向に歯厚５７ｊの略９分の１の位置に先端５７ｅを有する。山チップ５８は、第２端５８ｇから厚み方向に歯厚５８ｊの略９分の１の位置に先端５８ｅを有する。
【００７９】
図３８に示すように山チップ５１〜５８は、先端５１ｅ，５２ｅ，５３ｅ，５４ｅ，５５ｅ，５６ｅ，５７ｅ，５８ｅから第１端５１ｆ，５２ｆ，５３ｆ，５４ｆ，５５ｆ，５６ｆ，５７ｆ，５８ｆへ延出する第１傾斜面５１ｃ，５２ｃ，５３ｃ，５４ｃ，５５ｃ，５６ｃ，５７ｃ，５８ｃを有する。山チップ５１〜５８は、先端５１ｅ，５２ｅ，５３ｅ，５４ｅ，５５ｅ，５６ｅ，５７ｅ，５８ｅから第２端５１ｇ，５２ｇ，５３ｇ，５４ｇ，５５ｇ，５６ｇ，５７ｇ，５８ｇへ延出する第２傾斜面５１ｄ，５２ｄ，５３ｄ，５４ｄ，５５ｄ，５６ｄ，５７ｄ，５８ｄを有する。
【００８０】
図３８に示すように第１傾斜面５１ｃ，５２ｃ，５３ｃ，５４ｃ，５５ｃ，５６ｃ，５７ｃ，５８ｃは、台金の軸線と平行でかつ先端５１ｅを通る仮想線Ｌ２に対して第１先端傾き角５１ｋ，５２ｋ，５３ｋ，５４ｋ，５５ｋ，５６ｋ，５７ｋ，５８ｋを有する。第２傾斜面５１ｄ，５２ｄ，５３ｄ，５４ｄ，５５ｄ，５６ｄ，５７ｄ，５８ｄは、仮想線Ｌ２に対して第２先端傾き角５１ｌ，５２ｌ，５３ｌ，５４ｌ，５５ｌ，５６ｌ，５７ｌ，５８ｌを有する。第１先端傾き角５１ｋ，５２ｋ，５３ｋ，５４ｋ，５５ｋ，５６ｋ，５７ｋ，５８ｋと第２先端傾き角５１ｌ，５２ｌ，５３ｌ，５４ｌ，５５ｌ，５６ｌ，５７ｌ，５８ｌは、それぞれ５°である。
【００８１】
図３８に示すように第１端チップ５９は、第１端５９ｆから第２端５９ｇへ延出する先端傾斜面５９ｃを有する。先端傾斜面５９ｃは、仮想線Ｌ２に対して５°の先端傾き角５９ｌを有する。第２端チップ６０は、第２端６０ｇから第１端６０ｆへ延出する先端傾斜面６０ｃを有する。先端傾斜面６０ｃは、仮想線Ｌ２に対して５°の先端傾き角６０ｋを有する。
【００８２】
図３９，４０は、各試験品で被削材を切削した時の正味切削動力の測定結果を示す。この結果から、６分割で先端傾き角度が７°の試験品３２０と、６分割で先端傾き角度が１０°の試験品３３０と、５分割で先端傾き角度が５°の試験品２６０等において正味切削動力が低かった。３分割で先端傾き角が５°の試験品３５０の正味切削動力に対する各試験品の正味切削動力の低減率を算出し、図４５にまとめた。分割数毎に着目すると、５分割と６分割の各試験品において試験品３５０よりも正味切削動力が８〜２３％低減された。４分割の各試験品の場合、先端傾き角が５°の試験品２１０と７°の試験品２２０で比較的正味切削動力が低かった。分割数が多い例えば１０分割の試験品３６０の方が、分割数の少ない例えば３分割の試験品３５０よりも正味切削動力が低かった。
【００８３】
図４５に示すように正味切削動力は、先端傾き角毎に対しても傾向が表れた。例えば先端傾き角が５°と７°で４〜６分割の各試験品において試験品３５０よりも正味切削動力が１１〜２３％低減された。先端傾き角が１０°の場合は、それに準じて正味切削動力が８〜２２％低かった。先端傾き角が１２°の場合は、５分割の試験品２９０と６分割の試験品３４０で比較的正味切削動力が低かった。試験結果から、先端傾き角が６°や８°等の場合は、先端傾き角が５°と７°の場合と類似した傾向になると推測できる。
【００８４】
図４１，４２に各試験品で被削材を切削した時のラウドネスの測定結果をまとめた。測定結果から６分割で先端傾き角度が７°の試験品３２０と、６分割で先端傾き角度が５°の試験品３１０と、５分割で先端傾き角度が７°の試験品２７０と、５分割で先端傾き角度が５°の試験品２６０等でラウドネスが低かった。試験品３５０に対する各試験品のラウドネスの低減率を算出し、図４６にまとめた。ラウドネスは、分割数に対して傾向が現れた。例えば５分割と６分割の各試験品において試験品３５０よりもラウドネスが１〜１７％低減された。４分割の各試験品の場合、先端傾き角が７°の試験品２２０で比較的ラウドネスが低かった。分割数が多い例えば１０分割の試験品３６０の方が、分割数の少ない例えば３分割の試験品３５０よりもラウドネスが低かった。
【００８５】
図４５に示すようにラウドネスは、先端傾き角毎に対して傾向が現れた。例えば先端傾き角が５°と７°で４〜６分割の各試験品において試験品３５０よりもラウドネスが６〜１５％低減された。先端傾き角が３°の場合は、それに準じてラウドネスが３〜９％低かった。先端傾き角が１０°と１２°の場合は、６分割の試験品３３０，３４０でラウドネスが９〜１０％と比較的低かった。試験結果から、例えば先端傾き角が６°等の場合は、先端傾き角が５°と７°の場合と類似した傾向になると推測できる。
【００８６】
各試験品で被削材を切削した時の音圧レベルを測定し、測定結果を図４３，４４にまとめた。測定結果から５分割で先端傾き角度が７°の試験品２７０と、６分割で先端傾き角度が７°の試験品３２０と、５分割で先端傾き角度が５°の試験品２６０と、６分割で先端傾き角度が１０°の試験品３３０等で音圧レベルが低かった。図４１，４３に示すようにラウドネスが低い試験品の場合、音圧レベルも低くなる傾向があった。
【００８７】
４分割の各試験品で被削材を切削した時の試験品の振れ幅を測定し、測定結果を図４７，４８にまとめた。チップソーの振れ幅が小さい際、切断面がより円滑であり切削抵抗が小さい傾向がある。図４７に示すように先端傾き角が７°の試験品２２０で被削材を切削する場合、最大で約０．１５ｍｍと全体的に比較的振れ幅が小さかった。試験品２２０による切削では、特に被削材の略中間部を切削している時の振れ幅が０．０５ｍｍ以下で小さかった。先端傾き角が３°の試験品２００と先端傾き角が５°の試験品２１０の場合、振れ幅の大きさ及び時間推移の傾向が試験品２２０の場合と類似した結果であった。
【００８８】
図４８に示すように先端傾き角が１２°の試験品２４０で被削材を切削する場合、特に切削始めと切削終わりで０．２５〜０．３０ｍｍと比較的振れ幅が大きかった。先端傾き角が１０°の試験品２３０の場合、振れ幅の大きさ及び時間推移の傾向が図４７に示す試験品２２０の場合と図４８に示す試験品２４０の場合の略中間状態であった。
【００８９】
次に、チップが各径方向位置を有する分割切削型チップソーにおいて切削に関する比較実験を行った。本試験では、防音カバーを備えた実験機を使用した。試験品の台金形状や歯数等及び切削条件は、歯厚を２．２ｍｍとし、ボディ厚を１．８ｍｍとし、その他の条件を上記各試験と同様にした。試験品４００，４１０，４２０は、４分割で先端傾き角が５°である。試験品４００，４１０，４２０において、第１，第２山チップの先端高さ（台金の中心に対する径方向位置）を第１，第２端チップよりも高く設定した。なお第１，第２山チップの先端高さが第１，第２端チップよりも低い場合、第１，第２山チップが被削材と接触する面積が小さくなる。これにより第１，第２端チップによる切削の負担が増加して切削抵抗が大きくなると推測できる。そのため第１，第２山チップの先端高さが第１，第２端チップの先端高さ以上である場合のみ測定した。
【００９０】
図４９に示すように第１山チップ６１と第２山チップ６２と第１端チップ６３と第２端チップ６４は、第１端６１ｆ，６２ｆ，６３ｆ，６４ｆと第２端６１ｇ，６２ｇ，６３ｇ，６４ｇをそれぞれ有する。第１山チップ６１と第２山チップ６２と第１端チップ６３と第２端チップ６４は、それぞれ例えば２．２ｍｍの歯厚６１ｊ，６２ｊ，６３ｊ，６４ｊを有する。第１端６１ｆ，６２ｆ，６３ｆ，６４ｆから延出する第１側端面６１ｈ，６２ｈ，６３ｈ，６４ｈと、第２端６１ｇ，６２ｇ，６３ｇ，６４ｇから延出する第２側端面６１ｉ，６２ｉ，６３ｉ，６４ｉは、台金の径方向に対して例えば３０′の内側寄りの傾斜角をそれぞれ有する。
【００９１】
図４９に示すように第１山チップ６１は、第１端６１ｆから厚み方向に歯厚６１ｊの略３分の１の位置に先端６１ｅを有する。第１傾斜面６１ｃは、先端６１ｅから第１端６１ｆへ延出する。第１傾斜面６１ｃは、台金の軸線と平行でかつ先端６１ｅを通る仮想線Ｌ３に対して５°の第１先端傾き角６１ｋを有する。第２傾斜面６１ｄは、先端６１ｅから第２端６１ｇへ延出する。第２傾斜面６１ｄは、仮想線Ｌ３に対して５°の第２先端傾き角６１ｌを有する。第２山チップ６２は、第２端６２ｇから厚み方向に歯厚６２ｊの略３分の１の位置に先端６２ｅを有する。第１傾斜面６２ｃは、先端６２ｅから第１端６２ｆへ延出する。第１傾斜面６２ｃは、仮想線Ｌ３に対して５°の第１先端傾き角６２ｋを有する。第２傾斜面６２ｄは、先端６２ｅから第２端６２ｇへ延出する。第２傾斜面６２ｄは、仮想線Ｌ３に対して５°の第２先端傾き角６２ｌを有する。
【００９２】
図４９に示すように第１端チップ６３は、第１端６３ｆから第２端６３ｇへ延出する先端傾斜面６３ｃを有する。先端傾斜面６３ｃは、台金の軸線と平行でかつ第１端６３ｆを通る仮想線Ｌ４に対して５°の先端傾き角６３ｌを有する。第２端チップ６４は、第２端６４ｇから第１端６４ｆへ延出する先端傾斜面６４ｃを有する。先端傾斜面６４ｃは、仮想線Ｌ４に対して５°の先端傾き角６４ｋを有する。仮想線Ｌ３は、仮想線Ｌ４よりも高さ差Ｈ１だけ台金の軸方向外方に位置する。高さ差Ｈ１は、図５０中の試験品４００，４１０，４２０において、それぞれ０．０５ｍｍ，０．１０ｍｍ，０．２０ｍｍで設定される。試験品４００，４１０，４２０の高さ差Ｈ１は、それぞれ各試験品の歯厚の２％，５％，９％である。
【００９３】
試験品２１０，４００，４１０，４２０で被削材を切削した時の正味切削動力とラウドネスと音圧レベルの測定試験結果を図５０にまとめた。図５０，５１に示すように試験品４００，４１０，４２０で被削材を切削した時の正味切削動力は、試験品２１０の場合よりも２〜４％低かった。特に図４９に示す高さ差Ｈ１を０．０５ｍｍで設定した試験品４００の場合、正味切削動力が４％低かった。図５０，５２に示すように試験品４００，４１０，４２０で被削材を切削した時のラウドネスは、試験品２１０の場合よりも６〜２５％高かった。特に図４９に示す高さ差Ｈ１を高くするほどラウドネスが高くなる傾向があった。ラウドネスの高低と類似して、音圧レベルも高低する傾向があった。したがって例えば第１，第２山チップを第１，第２端チップよりも各チップの歯厚の２〜９％の長さだけ高く設ける。これにより切削抵抗が比較的小さくなる一方で騒音の度合いが比較的高くなる傾向にあると推測できる。
【００９４】
図４９に示すように第１山チップ６１と第２山チップ６２の各先端６１ｅ，６２ｅの径方向位置は、第１端チップ６３の第１端６３ｆと第２端チップ６４の第２端６４ｇの径方向位置よりも歯厚（厚み方向長さ）６１ｊ，６２ｊ，６３ｊ，６４ｊの０〜９％径方向外方（図示上方）であり、より好ましくは歯厚６１ｊ，６２ｊ，６３ｊ，６４ｊの０〜２％径方向外方である。したがって第１山チップ６１第２山チップ６２がより確実に被削材に当たって被削材を切削する。これにより切削動力が各チップでバランス良く振り分けられる。かくして切削抵抗が特定のチップに集中せず、切削抵抗を低減させることができる。
【００９５】
以上説明した各実施形態の分割切削型チップソー１，２，３には様々な変更を加えることができる。例えばチップ群は７種類以上の先端形状を有するチップで構成されていても良い。図１，４，７に示す各チップの台金４の周方向の並び順や、隣接するチップ間の間隔は適宜変更して良い。図３，６，９に示す先端１１ｅ，１２ｅ，２１ｅ，２２ｅ，２３ｅ，３１ｅ，３２ｅ，３３ｅ，３４ｅの台金４の厚み方向についての位置は、各実施形態に挙げた位置に限らず適宜変更して良い。例えば先端１１ｅを、第１端１１ｆと第２端１１ｇの間であって、第１端１１ｆから厚み方向に歯厚１１ｊの略５分の２の位置に設けても良い。例えば各チップの先端傾き角を６°，８°等に適宜変更してもよい。実施形態では金工用の分割切削型チップソーを例示したが、例えば樹脂用の分割切削型チップソーに適用しても良い。
【図１】
2019203346.tif 000003
【図２】
2019203346.tif 000004
【図３】
2019203346.tif 000005
【図４】
2019203346.tif 000006
【図５】
2019203346.tif 000007
【図６】
2019203346.tif 000008
【図７】
2019203346.tif 000009
【図８】
2019203346.tif 000010
【図９】
2019203346.tif 000011
【図１０】
2019203346.tif 000012
【図１１】
2019203346.tif 000013
【図１２】
2019203346.tif 000014
【図１３】
2019203346.tif 000015
【図１４】
2019203346.tif 000016
【図１５】
2019203346.tif 000017
【図１６】
2019203346.tif 000018
【図１７】
2019203346.tif 000019
【図１８】
2019203346.tif 000020
【図１９】
2019203346.tif 000021
【図２０】
2019203346.tif 000022
【図２１】
2019203346.tif 000023
【図２２】
2019203346.tif 000024
【図２３】
2019203346.tif 000025
【図２４】
2019203346.tif 000026
【図２５】
2019203346.tif 000027
【図２６】
2019203346.tif 000028
【図２７】
2019203346.tif 000029
【図２８】
2019203346.tif 000030
【図２９】
2019203346.tif 000031
【図３０】
2019203346.tif 000032
【図３１】
2019203346.tif 000033
【図３２】
2019203346.tif 000034
【図３３】
2019203346.tif 000035
【図３４】
2019203346.tif 000036
【図３５】
2019203346.tif 000037
【図３６】
2019203346.tif 000038
【図３７】
2019203346.tif 000039
【図３８】
2019203346.tif 000040
【図３９】
2019203346.tif 000041
【図４０】
2019203346.tif 000042
【図４１】
2019203346.tif 000043
【図４２】
2019203346.tif 000044
【図４３】
2019203346.tif 000045
【図４４】
2019203346.tif 000046
【図４５】
2019203346.tif 000047
【図４６】
2019203346.tif 000048
【図４７】
2019203346.tif 000049
【図４８】
2019203346.tif 000050
【図４９】
2019203346.tif 000051
【図５０】
2019203346.tif 000052
【図５１】
2019203346.tif 000053
【図５２】
2019203346.tif 000054
【国際調査報告】
2019203346.tif 000055
2019203346.tif 000056
2019203346.tif 000057